【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
連続媒体の前面上に画像を形成する片面印刷モードと、連続媒体の裏面上にも同様に画像を形成する両面印刷モードと、で作動する複数の印刷モジュールと、
連続媒体を供給する第１の供給装置と、
前記複数の印刷モジュールの少なくとも１つであって、前記第１の供給装置から供給された前記連続媒体上に画像を形成する第１の印刷モジュールと、
前記第１の印刷モジュール装置から前記連続媒体を搬入する第１の搬送経路と、前記第１の搬送経路の前記搬入方向と逆であって実質的に平行な方向に前記連続媒体を搬出する第２の搬送経路と、を含む双方向ガイドと、
前記双方向ガイドの前記第２の搬送経路により搬出された前記連続媒体の後処理を行う第１の後処理装置と、
前記複数の印刷モジュールの少なくとも１つであって、前記双方向ガイドの前記第１の搬送経路により搬出された前記連続媒体上に画像を形成する第２の印刷モジュールと、
前記第２の印刷モジュールの下流側に設けられて前記連続媒体の後処理を行う第２の後処理装置と、を含み、
前記第１の搬送経路および前記第２の搬送経路には互いに隣接した一対の支持ローラが配設され、前記連続媒体が前記一対の支持ローラの間を通って縫うように通されて前記第１の搬送経路または前記第２の搬送経路の方向に供給され、前記一対の支持ローラは、前記連続媒体が前記第１の搬送経路または前記第２の搬送経路のいずれに搬送される場合にもそれぞれ同じ方向に回転する、
印刷システム。
【請求項２】
前記片面印刷モードでは、前記第１の供給装置から供給される前記連続媒体が前記第１の印刷モジュールと第２の搬送経路とを介して前記第１の後処理装置に搬送され、前記両面印刷モードでは、前記連続媒体は前記第１の印刷モジュールと、第１の搬送経路と、第２の印刷モジュールとを介して前記第２の後処理装置に搬送される、請求項１に記載の印刷システム。
【請求項３】
前記第１および第２の印刷モジュールの間に配設されたターンバーの周囲での連続媒体の通過により前記連続媒体の前記前面および前記裏面が逆転される、請求項１に記載の印刷システム。
【請求項４】
前記双方向ガイドが、前記ターンバーの下流側でかつ前記第１の印刷モジュールの下流側に配設されている、請求項３に記載の印刷システム。
【請求項５】
第１の供給装置から供給される連続媒体上に画像を形成するために、前記第１の供給装置から第１の印刷モジュールを通じて前記連続媒体を供給することと、
前記第１の印刷モジュール装置から前記連続媒体を搬入する第１の搬送経路と、前記第１の搬送経路の前記搬入方向と逆であって実質的に平行な方向に前記連続媒体を搬出する第２の搬送経路と、を含む双方向ガイドを通じて前記連続媒体を搬送するように誘導することと、を含み、前記第１の搬送経路および前記第２の搬送経路には互いに隣接した一対の支持ローラが配設され、前記連続媒体が前記一対の支持ローラの間を通って縫うように通されて前記第１の搬送経路または前記第２の搬送経路の方向に供給され、前記一対の支持ローラは、前記連続媒体が前記第１の搬送経路または前記第２の搬送経路のいずれに搬送される場合にもそれぞれ同じ方向に回転し、
更に、前記連続媒体が前記双方向ガイドの前記第２の搬送経路により搬出されるとき、第１の後処理装置内の前記連続媒体を処理することと、
前記連続媒体が前記双方向ガイドの前記第１の搬送経路により搬出されるとき、前記連続媒体上に画像を形成するために第２の印刷モジュールを通じて前記連続媒体を供給することと、
前記第２の印刷モジュールの下流側に設けられた第２の後処理装置で、前記連続媒体の後処理を行うことと、を含む、媒体ウェブ印刷方法であって、
前記第１および第２の印刷モジュールは前記連続媒体の前面上に画像を形成する片面印刷モードと、前記連続媒体の裏面上にも同様に画像を形成する両面印刷モードと、で作動する、
媒体ウェブ印刷方法。
【請求項６】
前記第２の印刷モジュールが白黒印刷モジュールであり、前記第１の印刷モジュールがカラー印刷モジュールである、請求項５に記載の媒体ウェブ印刷方法。
【請求項７】
前記第１および第２の印刷モジュールの間に配設されたターンバーの周囲での前記連続媒体の通過により前記連続媒体の前記前面および前記裏面が逆転される、請求項６に記載の媒体ウェブ印刷方法。
【請求項８】
前記双方向ガイドが、前記ターンバーの下流側でかつ前記第１の印刷モジュールの下流側に配設されている、請求項７に記載の媒体ウェブ印刷方法。
【手続補正２】
【補正対象書類名】明細書
【補正対象項目名】００３１
【補正方法】変更
【補正の内容】
【００３１】
連続供給印刷のためのシステムは、下記のように構成できる少なくとも３台のプリンタを含み、すなわち、２台のプリンタは両面印刷ライン内に構成され、１台のプリンタは片面印刷ライン内、または両面印刷ラインのバックアップとして構成されている。また、システムは、あらゆる所望の構成を柔軟に実現できるようにするために、装置（プリンタおよび前／後処理機器）の間の経路を提供するための用紙搬送路機器を含んでいる。選択された印刷ラインセグメントの中の用紙の動きの同期化および状態報告機構を提供するために、印刷ラインバス（ＰＬＢ）または他の利用可能な技術で実現される可能性がある低レベルのハードウェア相互接続を用いてもよい。また、システムは、印刷ラインセグメントと呼ばれる物理行構成の中の論理行の定義を可能にする印刷ラインセグメント化を使用する。ローカルネットワークはプリンタを相互接続して、各プリンタが所望の印刷ジョブを実行するためのそれぞれの印刷データを受信することを保証する。自動多重化／分散データベース同期化を使用して、各プリンタが、すべてのプリンタ／ラインパラメータを保存する、それ自身のデータベースを有することを可能にしてもよい。
【手続補正３】
【補正対象書類名】明細書
【補正対象項目名】００３７
【補正方法】変更
【補正の内容】
【００３７】
図３は、実施形態の、双方向ガイド２１０における第１および第２の搬送経路を示している。双方向ガイド２１０は、第１の印刷モジュール装置から連続媒体２０２またはウェブ８を搬入する第１の搬送経路２０５と、第１の搬送経路の搬入方向と実質的に同じ方向に連続媒体２０２を搬出する第２の搬送経路２１２と、を含んでいる。連続媒体２０２は、第１の搬送経路２０５または第２の搬送経路２１２のどちらの方向にも連続媒体を送ることができる、互いに隣接して配設された支持ローラ２０７および２０９の対の間を通って縫うように通されて、第１の搬送経路２０５または第２の搬送経路２１２の方向に供給される。ローラ機構２１６が、連続媒体２０２からの駆動力を受け止めて、ラベル２０５および２１２で示す方向の動きを容易にするように構成されている。固定機構２１８が、連続供給印刷システム２００の用紙搬送路トンネルの中ほどに双方向ガイド２１０を一体化して固定することを可能にする。
【手続補正４】
【補正対象書類名】明細書
【補正対象項目名】００３９
【補正方法】変更
【補正の内容】
【００３９】
図５は、実施形態の、ウェブ印刷システム内の双方向ガイドを使用するための方法５００のフローチャートである。方法５００は、図２に示すようにアンワインダ１２１および１２３などのアンワインダによりプリンタ１１０などの印刷モジュールに連続媒体を供給する動作５０５で始まる。後続の連続媒体は印刷媒体により処理され、双方向ガイドに供給されて縫うように通される。動作５１０では、連続媒体に対する経路について決定が行われる。動作５１５のように第１の経路が選択されたとき、連続媒体は動作５２０に示すように処理される。動作５２０では、連続媒体が第２の印刷モジュールで処理される。動作５２０からの制御が動作５２５に転送され、印刷ジョブに応じて第２の処理装置が使用される。他の選択肢として、動作５１０での決定が第２の経路の選択であった可能性があり、制御が動作５３０に渡される。動作５３０では、図３に関して上述したように、連続媒体が第２の搬送経路に従って縫うように通される。その後、動作５３０の後に、制御が動作５３５に渡されて、印刷ジョブに応じて第１の処理装置が使用される。